(57)【要約】      （修正有）【課題】住宅躯体の品質を低下させることなく、給排水管工事を必要とする水回り設備を設置することできるフロアシステムを提供する。【解決手段】二重床を形成するために、屋内の床板２４上に敷設される複数の嵩上げフロアパネル４と、嵩上げフロアパネル４上に設置される設備ユニット５と、そして設備ユニット５と接続される給排水管６とを備えており、給排水管６は、床板２４の床面と嵩上げフロアパネル４のフロア面の間の高さに設けられた建物壁２２の貫通孔２６を通して屋内と屋外との間で配管されるフリーアクセスフロアシステムである。【選択図】図１
2015232220.tif 000002
【特許請求の範囲】
【請求項１】
二重床を形成するために、屋内の床板上に敷設される複数の嵩上げフロアパネルと、
前記嵩上げフロアパネル上に設置される設備ユニットと、そして
前記設備ユニットと接続される排水管及び／又は給水管とを備え、
前記排水管及び／又は前記給水管は、前記床板の床面と前記嵩上げフロアパネルのフロア面の間の高さに設けられた建物壁の貫通孔を通して屋内と屋外との間で配管されることを特徴とするフリーアクセスフロアシステム。
【請求項２】
前記排水管及び／又は前記給水管は、前記床板の床面と前記嵩上げフロアパネルのフロア面の間に形成された空間内に配管されることを特徴とする請求項１に記載のフリーアクセスフロアシステム。
【請求項３】
前記設備ユニットは、トイレ設備、洗面設備又は台所設備であることを特徴とする請求項１又は２に記載のフリーアクセスフロアシステム。
【請求項４】
前記嵩上げフロアパネルは、隣り合う他の嵩上げフロアパネルと連結するための連結手段を備えていることを特徴とする請求項１ないし３のいずれかに記載のフリーアクセスフロアシステム。
【請求項５】
前記嵩上げフロアパネルは、前記設備ユニットに取り付けられた係合手段と係合する固定手段を備えていることを特徴とする請求項１ないし４のいずれかに記載のフリーアクセスフロアシステム。
【請求項６】
前記嵩上げフロアパネルは、平面視において略矩形の天板と、前記天板を下側から支持し且つ配管通路を区画する脚部を備えていることを特徴とする請求項１ないし５のいずれかに記載のフリーアクセスフロアシステム。
【請求項７】
前記天板は、前記排水管及び／又は前記給水管を通過させるための通管孔を有していることを特徴とする請求項１ないし６のいずれかに記載のフリーアクセスフロアシステム。
【請求項８】
前記脚部は、平面視において略円形の輪郭を有する筒状体であり、前記筒状体の中心軸は前記天板の中心と略同軸上に配置されていることを特徴とする請求項７に記載のフリーアクセスフロアシステム。
【請求項９】
前記脚部は、平面視において扇形の輪郭を有する４つの筒状体から構成されており、前記筒状体は、前記扇形の中心が前記天板の四隅とそれぞれに略一致するように配置されていることを特徴とする請求項７に記載のフリーアクセスフロアシステム。
【請求項１０】
前記天板と前記脚部は、樹脂材料によって一体成形されていることを特徴とする請求項８又は９に記載のフリーアクセスフロアシステム。
【請求項１１】
前記嵩上げフロアパネルはさらにパネル基板を含んでおり、前記基板と前記脚部は樹脂材料によって一体成形されていることを特徴とする請求項８又は９に記載のフリーアクセスフロアシステム。
【発明の詳細な説明】
【技術分野】
【０００１】
本発明は、二重床を形成するために、屋内の床板上に敷設される複数の嵩上げフロアパネルと、嵩上げフロアパネル上に設置される設備ユニットと、そして設備ユニットと接続される排水管及び／又は給水管とを備えたフロアシステムに関し、排水管及び／又は給水管が、床板の床面と前記嵩上げフロアパネルのフロア面の間の高さに設けられた建物壁の貫通孔を通して屋内と屋外との間で配管されることを特徴とするフリーアクセスフロアシステムに関する。
【背景技術】
【０００２】
高齢者や身体障害者などの身体の不自由な人が自室や病室などの室内で用を足したり洗面などをすることができるようにするため、排泄物や排水または給水などを一時的にバケツやタンクなどへ貯めておくタイプのポータブルトイレや洗面設備などの水回り設備が使用されている。
【０００３】
一方、バケツやタンクなどに貯められた排泄物や排水または給水などの処理は手間が掛かり面倒であるため、近年では、特開２００４−１７６５２８号公報（特許文献１）や特願２０１３−１０６５０８号（特許文献２）に記載されているように、ポータブルトイレや洗面設備などの給排水管を既設の給排水管などへ直接接続するタイプのポータブルトイレや洗面設備などの水回り設備も開発されている。
【０００４】
ところが、これらの水回り設備は、高齢者や身体障害者などの身体の不自由な人のための介護を目的として室内に一時的に仮置きまたは仮設されるものであり、通常のリフォームと異なって使用期間が短く、不必要となれば、これらの設備ユニットを撤去して室内を元の状態に戻す必要がある。
【０００５】
このため、近年では、特開平１１−１９３６１８号公報（特許文献３）、特開２００４−１７６４２７号公報（特許文献４）、特開平８−２８４３８３号公報（特許文献５）および特開２００５−２２６３４３号公報（特許文献６）などに記載されているように、室内の床板上に嵩上げフロアパネルを敷設して床面を二重床とし、ポータブルトイレや洗面設備などの水回り設備は嵩上げフロアパネルのフロア面の上に設置し、そしてこれら水回り設備の給排水管などはフロアパネルのフロア面と既存の床面との間の空間に敷設することにより、室内における給排水管の施工を容易にし、水回り設備を撤去した後の室内のダメージも少なくするという工法が提案されている。
【０００６】
しかしながら、給排水管の施工が必要な水回り設備の場合、水回り設備の給排水管を、屋内または屋外に敷設された既設の給排水管まで延伸して接続しなければならない。このため、リフォーム時において、水回り設備の給排水管を新たに敷設しようとすると、床下の建屋基礎やコンクリートスラブなどに新たに穴を開けなければならず、住宅躯体の品質を大幅に低下させてしまうという問題があった。
【０００７】
また、床下の建屋基礎やコンクリートスラブなどに穴を開ける工事を回避しようとすると、水回り設備の給排水管を、水回り設備の設置場所とは関係のないトイレ、風呂場、キッチンなどの既設の給排水管が敷設されている場所まで延伸して配管しなければならず、結局リフォーム時の工事が大掛かりなものとなってしまうという問題があった。
【０００８】
さらに、高齢者や身体障害者などが自室や病室などで使用するポータブルトイレや洗面設備或いは手摺りなどの設備ユニットは、一般に構造が単純で軽量であるため、意図しない移動や転倒などをしないように床板の床面上に強固に固定されていることが好ましい。ところが、例えば床面を二重床とするために設置される嵩上げフロアパネルの場合は、一般に天板（床板）が薄く、その下に大引き、根太、剛床或いはコンクリートスラブなどの構造体が設置されないため、ポータブルトイレや洗面設備或いは手摺りなどの設備ユニットを嵩上げフロアパネルに強固に固定することができないという問題もあった。
【先行技術文献】
【特許文献】
【０００９】
【特許文献１】特開２００４−１７６５２８号公報
【特許文献２】特願２０１３−１０６５０８号
【特許文献３】特開平１１−１９３６１８号公報
【特許文献４】特開２００４−１７６４２７号公報
【特許文献５】特開平８−２８４３８３号公報
【特許文献６】特開２００５−２２６３４３号公報
【発明の概要】
【発明が解決しようとする課題】
【００１０】
そこで、本発明は、一時的に室内にポータブルトイレや簡易洗面台などの水回り設備を設置するために、大掛かりな床下工事を必要とせず且つ住宅躯体の品質も大幅に低下させることなく、給排水管工事を必要とする水回り設備を設置することでき、それでいてポータブルトイレや簡易洗面台或いは手摺りなどの設備ユニットを床板の床面上に強固に固定することができるフロアシステムを提供することを目的とする。
【課題を解決するための手段】
【００１１】
本発明者等は、建屋における既設の給排水管の設置場所、建屋基礎やコンクリートスラブなどの床下構造体および建屋の外壁（建物壁）などの構造について鋭意研究を重ねた結果、これらの中で、建物壁に給排水管を挿通させるための貫通孔を開けても住宅躯体の強度や品質に悪影響を及ぼさないとの知見を得た。
【００１２】
このため、水回り設備の給排水管については、屋内の既設の床板上に、二重床を形成するための嵩上げフロアパネルを設置し、そして床板と嵩上げフロアパネルのフロア面との間に形成された空間内に敷設すると共に、床板と嵩上げフロアパネルのフロア面との間の高さに建物壁の貫通孔を設け、該貫通孔を通して水回り設備の給排水管を屋外の給排水管と接続することにより、大掛かりな床下工事を必要とせず、そして住宅躯体の強度や品質に悪影響を及ぼすことなく、室内にポータブルトイレや簡易洗面台などの水回り設備を設置することが可能な本発明のフリーアクセスフロアシステムを開発した。
【００１３】
また、ポータブルトイレや簡易洗面台或いは手摺りなどの設備ユニットのフロア面への強固な固定については、連結された複数個の嵩上げフロアパネルが一体となって強力なアンカー効果を発揮することを見出し、設備ユニット側に係合手段を設け、嵩上げフロアパネル側には係合手段と係合する固定手段を設けることにより、設備ユニットを嵩上げフロアパネルに強固に固定することができる本発明のフリーアクセスフロアシステムを開発した。
【００１４】
具体的には、本発明のフロアシステムは、二重床を形成するために、屋内の床板上に敷設される複数の嵩上げフロアパネルと、嵩上げフロアパネル上に設置される設備ユニットと、そして設備ユニットと接続される排水管及び／又は給水管とを備えており、排水管及び／又は給水管は、床板の床面と嵩上げフロアパネルのフロア面の間の高さに設けられた建物壁の貫通孔を通して屋内と屋外との間で配管されるという特徴を有する。
【００１５】
本発明のフロアシステムにおいて、嵩上げフロアパネルは公知のものを使用することができるが、嵩上げフロアパネルを屋内の床板上に敷設した時、嵩上げフロアパネル上に設置される設備ユニットの排水管及び／又は給水管、或いは電線を、嵩上げフロアパネルのフロア面の下部であって床板の床面の上部に敷設できる空間が形成されるものが好ましい。
【００１６】
本発明のフロアシステムによれば、嵩上げフロアパネルの敷設により、室内にポータブルトイレや簡易洗面台などの給排水管との接続を必要とする設備ユニットを簡単に設置することができるようになると共に、ユニット設備の給排水管などを既存の床板上に敷設する必要がなくなるので、フロア面上から配管段差をなくすることができ、室内のバリアフリー化を実現できる共に見た目にも美しく仕上げることができる。
【００１７】
本発明のフロアシステムでは、設備ユニットとは、主として老人や身体障害者などの身体の不自由な人が使用するために、既存の室内に便宜的に仮設され、排水管及び／又は給水管の施工などを必要とするポータブルトイレ、簡易洗面台、簡易台所設備などの水回り設備を意味するが、フロア面に強固に取り付けることが必要となる手摺りなどの介護用具も含まれる。また、室内に仮設され、固定が必要となるような生活設備や生活用具であれば、必ずしもこれらに限定されるものではない。
【００１８】
本発明のフロアシステムでは、設備ユニットの排水管及び／又は給水管は、床板の床面と嵩上げフロアパネルのフロア面の間の高さに設けられた建物壁の貫通孔を通して屋外の給排水管と接続される。
【００１９】
建物では、建築後、建屋基礎やコンクリートスラブなどに新たに開口部を設けたり、或いは大引き、根太、剛床などの床下構造体を一部切断すると、住宅躯体の強度や品質に悪影響を及ぼすこととなる。しかしながら、本発明のフロアシステムでは、設備ユニットの給排水管を配管するための開口部（貫通孔）は建屋の外壁（建物壁）に設けられるため、殆どの場合、住宅躯体の強度や品質に悪影響を及ぼすことがない。また、建物壁の貫通孔を通して屋内から屋外へ配管された給排水管は、フリースペースを利用して屋外の給排水管と容易に接続することができるので、配管工事期間も短縮される。
【００２０】
また、本発明のフロアシステムでは、建物壁の貫通孔は、床板の床面と嵩上げフロアパネルのフロア面の間の高さに設けられるため、フロア面上から配管段差をなくすることができると共に見た目にも美しく仕上げることができる。この結果、本発明のフロアシステムによれば、大掛かりな床下工事を必要とせず、また住宅躯体の強度や品質に悪影響を及ぼすことなく、室内にポータブルトイレや簡易洗面台などの水回り設備を容易に設置したり或いは撤去したりすることができるようになる。
【００２１】
本発明のフロアシステムでは、嵩上げフロアパネルは、隣り合う他の嵩上げフロアパネルと連結するための連結手段を備えていることが好ましい。連結手段は公知の連結手段を使用することができ、また特に連結手段の形状や形式などが限定されるものではないが、連結手段は、嵩上げフロアパネル同士を連結後、フロア面上から全部隠されてしまうものがよい。嵩上げフロアパネルの連結手段としては、例えば嵩上げフロアパネルのフロア面の下部に設けられたフックとフック掛けとの組み合わせ、引っ掛かり部分を有する雄部と雌部のとの組み合わせなどが挙げられる。
【００２２】
また、連結手段は、嵩上げフロアパネルのフロア面を形成する上部天板の端部に凹部を設け、隣り合う２つの天板の凹部へ、例えばコの字型の連結ピンを２つの天板を横断するように差し込むことによって、２つの嵩上げフロアパネルを相互に連結させるものであってもよい。
【００２３】
嵩上げフロアパネルの連結手段は、嵩上げフロアパネルを既設の床板上に整列させて固定するのに寄与すると共に、嵩上げフロアパネルが床板からズレたり移動したりするのを防止する。また、嵩上げフロアパネルの連結手段は、複数個の嵩上げフロアパネルを連結させて一体化することにより、嵩上げフロアパネルに強力なアンカー効果を発揮させる。
【００２４】
このため、本発明のフロアシステムでは、設備ユニット側に係合手段を設け、嵩上げフロアパネル側には係合手段と係合する固定手段を設けることが好ましい。また、設備ユニット側に設けられる係合手段および嵩上げフロアパネル側に設けられる固定手段は特に限定されるものではなく、公知の係合手段および固定手段を用いることができる。
【００２５】
嵩上げフロアパネルは、設備ユニットに取り付けられた係合手段と係合する固定手段を備えることにより、ポータブルトイレや簡易洗面台などの設備ユニットを強力に嵩上げフロアパネルに固定することができる。また、より強力且つ確実な固定が必要となる手摺りなどの設備ユニットにおいても、本発明のフロアシステムの嵩上げフロアパネルは、その条件を満足させるように機能する。
【００２６】
本発明のフロアシステムで使用される嵩上げフロアパネルは、平面視において略矩形の天板と、天板を下側から支持し且つ配管通路を区画する脚部を備えていることが好ましい。
【００２７】
本発明のフロアシステムで使用される嵩上げフロアパネルは、主として室内に設置されることから、一般的な室内の平面形状に合わせて嵩上げフロアパネルの天板を平面視において略矩形にすると、嵩上げフロアパネルを室内の隅々まで略隙間なく敷き詰めることが可能となり、適用性の拡大を図ることができる。特に天板の形状を正方形にすると、天板の縦辺と横辺とを区別することなく嵩上げフロアパネル同士を連結し整列させることができるので、嵩上げフロアパネルの設置も容易化される。
【００２８】
また、嵩上げフロアパネルにおいて、既設の床面と嵩上げフロアパネルの床面との間に空間を形成する脚部は、天板を下側から支持し且つ配管通路を区画していることが好ましい。
【００２９】
脚部によって天板を下側から支持すると、天板に分散された設備ユニットや歩行者などの荷重を、脚部によって、荷重の加わる向きと略対向するように支持することができるので、必要最小限の脚部で重量物を安全に且つ効率よく支えることができる。また、脚部の周りには排水管や給水管或いは電線などが敷設されるため、脚部によって配管通路が区画されていると、二重床を形成した後、嵩上げフロアパネルを改造することなく円滑に給排水管を配管したり、或いは電線を配線したりすることができるようになる。
【００３０】
また、嵩上げフロアパネルの天板は、排水管及び／又は給水管を通過させるための通管孔を有していることが好ましい。
【００３１】
嵩上げフロアパネルの天板に通管孔が設けられていると、ポータブルトイレや簡易洗面台などの給排水管を短距離で嵩上げフロアパネルのフロア面の下部へ配管することができるので、フロア面上から配管段差をなくすることができ、見た目にもより一層美しく仕上げることができるようになる。
【００３２】
本発明のフロアシステムで使用される嵩上げフロアパネルの脚部は、平面視において略円形の輪郭を有する筒状体であり、筒状体の中心軸が天板の中心と略同軸上に配置されていることが好ましい。
【００３３】
また、嵩上げフロアパネルの脚部は、平面視において扇形の輪郭を有する４つの筒状体から構成されており、筒状体は、扇形の中心が天板の四隅とそれぞれに略一致するように配置されていてもよい。
【００３４】
脚部の周りには排水管や給水管或いは電線などが敷設されるが、特に給排水管は、方向変換させる時、折れたり破損したりしないように一定以上の曲率（半径）を有するように方向変換されることが求められる。このため、脚部の形状を略円筒形とし、筒状体の中心軸が天板の中心と略同軸上となるように配置すると、給排水管は、略円筒形の脚部に沿って一定以上の曲率（半径）を有するように方向変換されるので、給排水管が屈曲することによって折れたり破損したりするのを防止することができる。
【００３５】
また、脚部の形状を扇形の断面を有する４つの筒状体から構成し、扇形の断面の中心が天板の四隅とそれぞれに略一致するように脚部を配置すると、例えば１つの脚部の周りに２個または４個の他の嵩上げフロアパネルを連結した時、扇形の断面を有する筒状体も２つまたは４つ組み合わされることにより、略半円形の断面または略円形の断面を有する筒状体を構成する。このため、給排水管は、２つまたは４つ組み合わされることにより、略半円形の断面または略円形の断面を有する筒状体の脚部に沿って一定以上の曲率（半径）を有するように方向変換されるので、給排水管が屈曲することによって折れたり破損したりするのを防止することができる。
【００３６】
さらに、扇形の断面を有する上述の脚部は、扇形の断面の中心が天板の四隅とそれぞれに略一致するように配置されるので、このタイプの嵩上げフロアパネルは、天板の四隅を天板の下側から支持することができ、天板に加わる荷重を、天板をガタつかせることなく安定して支えることができる。
【００３７】
本発明のフロアシステムで使用される嵩上げフロアパネルにおいて、天板と脚部は、樹脂材料によって一体成形されていることが好ましい。
【００３８】
天板と脚部が樹脂材料によって一体成形されていると、樹脂材料を用いていても荷重やねじりに対して頑丈な嵩上げフロアパネルを製作することができ、また嵩上げフロアパネルの軽量化を図ることもできる。
【００３９】
また、本発明のフロアシステムで使用される嵩上げフロアパネルは、さらに脚部を間に挟んで天板と対向するようにパネル基板を含んでおり、パネル基板と脚部は樹脂材料によって一体成形されていてもよい。
【００４０】
脚部を間に挟んで天板と対向するようにパネル基板を設けると、嵩上げフロアパネルは、フロア面を形成する天板と、既設の床面を接するパネル基板との間に脚部を固定したサンドウィッチ構造となるので、嵩上げフロアパネルの全体の強度が向上すると共に、特にフロア面に対し平行な方向に働くせん断力に対する強度が強化される。
【発明の効果】
【００４１】
本発明のフリーアクセスフロアシステムによれば、嵩上げフロアパネルの敷設により、室内にポータブルトイレや簡易洗面台などの給排水管との接続を必要とする設備ユニットを簡単に設置することができるようになると共に、ユニット設備の給排水管などを既存の床板上に敷設する必要がなくなるので、フロア面上から配管段差をなくすることができ、室内のバリアフリー化を実現できる共に見た目にも美しく仕上げることができる。
【００４２】
特に、本発明のフリーアクセスフロアシステムによれば、設備ユニットの給排水管を配管するための開口部（貫通孔）は建屋の外壁（建物壁）に設けられるため、殆どの場合、住宅躯体の強度や品質に悪影響を及ぼすことがない。また、建物壁の貫通孔を通して屋内から屋外へ配管された給排水管は、フリースペースを利用して屋外の給排水管と容易に接続することができるので、配管工事期間も短縮される。
【００４３】
本発明のフリーアクセスフロアシステムによれば、連結された複数個の嵩上げフロアパネルは一体化することにより強力なアンカー効果を発揮する。このため、設備ユニット側に係合手段を設け、嵩上げフロアパネル側には係合手段と係合する固定手段を設けると、ポータブルトイレや簡易洗面台などの設備ユニットの他、より強力且つ確実な固定が必要となる手摺りなどの設備ユニットもその条件を満足させるように固定することができるようになる。
【図面の簡単な説明】
【００４４】
【図１】本発明の一実施形態に係るフリーアクセスフロアシステムの概要図である。
【図２】本発明のフリーアクセスフロアシステムで使用され嵩上げフロアパネルの第１の実施例の平面図（ａ）および側面図（ｂ）である。
【図３】本発明のフリーアクセスフロアシステムで使用され嵩上げフロアパネルの第２の実施例の平面図（ａ）および側面図（ｂ）である。
【発明を実施するための形態】
【００４５】
以下、本発明の一実施形態に係るフリーアクセスフロアシステムについて、図面を参照しながら詳細に説明する。なお、本発明は、以下に示される実施形態に限定されるものではなく、本発明の技術的思想を逸脱しない範囲内で各種の変更が可能である。
【００４６】
図１には、本発明の一実施形態に係るフリーアクセスフロアシステム１の概要図であって、一般的な建屋２の一階部分の断面が模式的に示されている。
【００４７】
図１に示される建屋２は、土基礎３の上に建物２を支えるためのコンクリート基礎２０と、主に土中からの湿気を防ぐためにコンクリート製の防湿層２１が敷設されている。そして、コンクリート基礎２０の上には、建物壁２２などを固定するための大引き２３と呼ばれる太梁と、床板２４を固定するための根太２５と呼ばれる小梁が施工されている。
【００４８】
一般にコンクリート基礎２０の中には鉄筋が挿入されているため、建物２に必要な既設の給排水管６０は、図１に示されるように防湿層２１を避けて、或いは予め開口しておいたコンクリート基礎２０の開口部を通して配管される。
【００４９】
本発明の一実施形態に係るフリーアクセスフロアシステム１では、二重床を形成するために、屋内の床板２４上に敷設される複数の嵩上げフロアパネル４と、嵩上げフロアパネル４上に設置されるポータブルトイレ５と、そしてポータブルトイレ５と接続される給排水管６とを備えており、給排水管６は、床板２４の床面と嵩上げフロアパネル４のフロア面の間の高さに設けられた建物壁２２の貫通孔２６を通して屋内と屋外との間で配管されている。
【００５０】
本発明の一実施形態に係るフリーアクセスフロアシステム１において、嵩上げフロアパネル４は公知のものを使用することができ、嵩上げフロアパネル４を屋内の床板２４上に敷設した時、嵩上げフロアパネル４上に設置されるポータブルトイレ５の給排水管６或いは電線（図示せず）を、嵩上げフロアパネル４のフロア面の下部であって床板２５の床面の上部に敷設できる空間が形成される。
【００５１】
本発明の一実施形態に係るフリーアクセスフロアシステム１によれば、嵩上げフロアパネル４の敷設により、室内に給排水管６との接続を必要とするポータブルトイレ５を簡単に設置することができるようになると共に、ポータブルトイレ５の給排水管６を既存の床板２４上に敷設する必要がなくなるので、フロア面上から配管段差をなくすることができ、室内のバリアフリー化を実現できる共に見た目にも美しく仕上げることができる。
【００５２】
本発明の一実施形態に係るフリーアクセスフロアシステム１では、嵩上げフロアパネル４上に設置される設備ユニットの一例としてポータブルトイレ５を例示しているが、設備ユニットはこれに限られず、主として老人や身体障害者などの身体の不自由な人が使用するために、既存の室内に便宜的に仮設され、給排水管の施工などを必要とする簡易洗面台、簡易台所設備などの水回り設備の他、フロア面に強固に取り付けることが必要となる手摺りなどの介護用具などであってもよい。
【００５３】
本発明の一実施形態に係るフリーアクセスフロアシステム１では、図１に示されるように、ポータブルトイレ５の給排水管６は、床板２４の床面と嵩上げフロアパネル４のフロア面の間の高さに設けられた建物壁２２の貫通孔２６を通して屋外の給排水管と接続される。
【００５４】
建物２では、建築後、建屋基礎２０やコンクリートスラブ（図示せず）などに新たに開口部を設けたり、或いは大引き２３、根太２５、剛床（図示せず）などの床下構造体を一部切断すると、住宅躯体の強度や品質に悪影響を及ぼすこととなる。しかしながら、本発明の一実施形態に係るフリーアクセスフロアシステム１では、ポータブルトイレ５の給排水管６を配管するための開口部は建屋２の建物壁（外壁）２２に貫通孔６として設けられるため、住宅躯体の強度や品質に悪影響を及ぼすことがない。また、建物壁２２の貫通孔２６を通して屋内から屋外へ配管された給排水管６は、フリースペースを利用して屋外の給排水管（図示せず）と容易に接続することができるので、配管工事期間も短縮される。
【００５５】
また、本発明の一実施形態に係るフリーアクセスフロアシステム１では、建物壁２２の貫通孔２６は、床板２４の床面と嵩上げフロアパネル４のフロア面の間の高さに設けられるため、フロア面上から配管段差をなくすることができると共に見た目にも美しく仕上げることができる。この結果、本発明の一実施形態に係るフリーアクセスフロアシステム１によれば、大掛かりな床下工事を必要とせず、また住宅躯体の強度や品質に悪影響を及ぼすことなく、室内にポータブルトイレ５やその給排水管６を容易に設置したり或いは撤去したりすることができるようになる。
【００５６】
図示しないが、本発明の一実施形態に係るフリーアクセスフロアシステム１では、ポータブルトイレ５側には係合手段を設けられており、そして嵩上げフロアパネル４側にも、ポータブルトイレ５の係合手段と係合する固定手段が設けられている。嵩上げフロアパネル４は、ポータブルトイレ５に取り付けられた係合手段と係合する固定手段を備えることにより、ポータブルトイレ５を強力に嵩上げフロアパネル４に固定することができる。
【００５７】
また、図示しないが、嵩上げフロアパネル４の天板４１ａ，４１ｂ（図２，３参照）は、給排水管６を通過させるための通管孔を有している。嵩上げフロアパネル４の天板４０に通管孔が設けられていると、ポータブルトイレ５の給排水管６を短距離で嵩上げフロアパネル４のフロア面の下部へ配管することができるので、フロア面上から配管段差をなくすることができ、見た目にもより一層美しく仕上げることができるようになる。
【００５８】
［実施例１］
図２には、本発明の一実施形態に係るフリーアクセスフロアシステム１で使用され嵩上げフロアパネル４ａの第１の実施例について、３個の嵩上げフロアパネル４ａが連結された状態の平面図（ａ）とその側面図（ｂ）が示されている。
【００５９】
第１の実施例の嵩上げフロアパネル４ａの脚部４０ａは、平面視において円形の輪郭を有する筒状体であり、筒状体の中心軸Ｏａが天板４１ａの中心Ｏａと略同軸上に配置されている。
【００６０】
また、第１の実施例の嵩上げフロアパネル４ａは、天板４１ａと脚部４０ａが樹脂材料によって一体成形されている。このため、第１の実施例の嵩上げフロアパネル４ａは、樹脂材料を用いていても荷重やねじりに対して頑丈であり、そして軽量化が図られている。
【００６１】
ところで、嵩上げフロアパネル４ａの脚部４０ａの周りには排水管や給水管或いは電線などが敷設されるが、特に給排水管は、方向変換させる時、折れたり破損したりしないように一定以上の曲率（半径）を有するように方向変換されることが求められる。このため、第１の実施例の嵩上げフロアパネル４ａでは、脚部４０ａの形状を円筒形とし、筒状体の中心軸Ｏａが天板の中心と略同軸上となるように配置しているので、給排水管は、円筒形の脚部４０ａに沿って一定以上の曲率（半径）を有するように方向変換され、給排水管が屈曲することによって折れたり破損したりするのが防止される。
【００６２】
第１の実施例嵩上げフロアパネル４ａは、主として室内に設置されることから、天板４１ａの形状が平面視において正方形にされており、天板４１ａの縦辺と横辺とを区別することなく嵩上げフロアパネル４ａ同士を連結し整列させることができるので、嵩上げフロアパネル４ａの設置が容易化されると共に、一般的な室内の平面形状に合わせて嵩上げフロアパネル４ａを室内の隅々まで略隙間なく敷き詰めることができる。
【００６３】
また、第１の実施例の嵩上げフロアパネル４ａでは、既設の床面と嵩上げフロアパネル４ａの床面との間に空間を形成する脚部４０ａは、天板４１ａを下側から支持し且つ配管通路を区画している。
【００６４】
このように、脚部４０ａによって天板４１ａを下側から支持すると、天板４１ａに分散された設備ユニットや歩行者などの荷重を、脚部４０ａによって、荷重の加わる向きと略対向するように支持することができるので、必要最小限の脚部４０ａで重量物を安全に且つ効率よく支えることができる。また、脚部４０ａの周りには給排水管或いは電線などが敷設されるため、脚部４０ａによって配管通路が区画されていると、二重床を形成した後、嵩上げフロアパネル４ａを改造することなく円滑に給排水管を配管したり、或いは電線を配線したりすることができるようになる。
【００６５】
第１の実施例の嵩上げフロアパネル４ａは、隣り合う他の嵩上げフロアパネル４ａと連結するために、嵩上げフロアパネル４ａのフロア面の下部に設けられており且つ断面形状がＬ字型のフック４２ａ（図２ｂ）と平面視においてロの字型のフック掛け４３ａ（図２ａ）との組み合わせからなる連結手段を備えている。
【００６６】
このため、第１の実施例の嵩上げフロアパネル４ａの連結手段４２ａ，４３ａは、嵩上げフロアパネル４ａを既設の床板上に整列させて固定するのに寄与すると共に、嵩上げフロアパネル４ａが床板からズレたり移動したりするのを防止する。また、嵩上げフロアパネル４ａの連結手段４２ａ，４３ａは、複数個の嵩上げフロアパネル４ａを連結させて一体化することにより、嵩上げフロアパネル４ａに強力なアンカー効果を発揮させる。
【００６７】
［実施例２］
図３には、本発明の一実施形態に係るフリーアクセスフロアシステム１で使用され嵩上げフロアパネル４ｂの第２の実施例について、３個の嵩上げフロアパネル４ｂが連結された状態の平面図（ａ）とその側面図（ｂ）が示されている。
【００６８】
第２の実施例の嵩上げフロアパネル４ｂの脚部４０ｂは、平面視において扇形の輪郭を有する４つの筒状体から構成されており、筒状体は、扇形の中心Ｏｂが天板４１ｂの四隅とそれぞれに略一致するように配置されている。
【００６９】
また、第２の実施例の嵩上げフロアパネル４ｂは、天板４１ｂと４つの脚部４０ｂが樹脂材料によって一体成形されている。このため、第２の実施例の嵩上げフロアパネル４ｂは、樹脂材料を用いていても荷重やねじりに対して頑丈であり、そして軽量化が図られている。
【００７０】
ところで、嵩上げフロアパネル４ｂの脚部４０ｂの周りには排水管や給水管或いは電線などが敷設されるが、特に給排水管は、方向変換させる時、折れたり破損したりしないように一定以上の曲率（半径）を有するように方向変換されることが求められる。このため、第２の実施例の嵩上げフロアパネル４ｂでは、脚部４０ｂの形状を扇形の断面を有する４つの筒状体から構成し、扇形の断面の中心Ｏｂが天板４１ｂの四隅とそれぞれに略一致するように脚部４０ｂを配置しているので、例えば１つの脚部４０ｂの周りに２個または４個の他の嵩上げフロアパネル４ｂを連結した時、扇形の断面を有する脚部４０ｂも２つまたは４つ組み合わされることにより、半円形の断面または円形の断面を有する脚部４０ｂを構成する。このため、給排水管は、２つまたは４つ組み合わされることにより、半円形の断面または円形の断面を有する脚部４０ｂに沿って一定以上の曲率（半径）を有するように方向変換され、給排水管が屈曲することによって折れたり破損したりするのが防止される。
【００７１】
第２の実施例嵩上げフロアパネル４ｂは、主として室内に設置されることから、天板４１ｂの形状が平面視において正方形にされており、天板４１ｂの縦辺と横辺とを区別することなく嵩上げフロアパネル４ｂ同士を連結し整列させることができるので、嵩上げフロアパネル４ｂの設置が容易化されると共に、一般的な室内の平面形状に合わせて嵩上げフロアパネル４ｂを室内の隅々まで略隙間なく敷き詰めることができる。
【００７２】
また、第２の実施例の嵩上げフロアパネル４ｂでは、既設の床面と嵩上げフロアパネル４ｂの床面との間に空間を形成する脚部４０ｂは、天板４１ｂを下側から支持し且つ配管通路を区画している。
【００７３】
このように、天板４１ｂの四隅に配置された脚部４０ｂによって天板４１ｂを下側から支持すると、天板４１ｂに分散された設備ユニットや歩行者などの荷重を、脚部４０ｂによって、荷重の加わる向きと略対向するように支持することができるので、天板４１ｂをガタつかせることなく、必要最小限の脚部４０ｂで重量物を安全に且つ効率よく支えることができる。また、脚部４０ｂの周りには給排水管或いは電線などが敷設されるため、脚部４０ｂによって配管通路が区画されていると、二重床を形成した後、嵩上げフロアパネル４ｂを改造することなく円滑に給排水管を配管したり、或いは電線を配線したりすることができるようになる。
【００７４】
第２の実施例の嵩上げフロアパネル４ｂは、隣り合う他の嵩上げフロアパネル４ｂと連結するために、嵩上げフロアパネル４ｂのフロア面を形成する上部天板４１ｂの端部に凹部４２ｂが設けられており、隣り合う２つの天板の凹部４２ｂへ、コの字型の連結ピン４３ｂを２つの天板４１ｂを横断するように差し込むことによって相互に連結されている。
【００７５】
このため、第２の実施例の嵩上げフロアパネル４ｂの連結手段４２ｂ，４３ｂは、嵩上げフロアパネル４ｂを既設の床板上に整列させて固定するのに寄与すると共に、嵩上げフロアパネル４ｂが床板からズレたり移動したりするのを防止する。また、嵩上げフロアパネル４ｂの連結手段４２ｂ，４３ｂは、複数個の嵩上げフロアパネル４ｂを連結させて一体化することにより、嵩上げフロアパネル４ｂに強力なアンカー効果を発揮させる。
【００７６】
また、第２の実施例の嵩上げフロアパネル４ｂは、第２の実施例の嵩上げフロアパネル４ｂとは異なり、脚部４０ｂを間に挟んで天板４１ｂと対向するようにパネル基板４４ｂを含んでおり、パネル基板４４ｂと脚部４０ｂは樹脂材料によって一体成形されている。
【００７７】
第２の実施例の嵩上げフロアパネル４ｂでは、脚部４０ｂを間に挟んで天板４１ｂと対向するようにパネル基板４４ｂが設けられているので、嵩上げフロアパネル４ｂは、フロア面を形成する天板４１ｂと、既設の床面を接するパネル基板４４ｂとの間に脚部４０ｂを固定したサンドウィッチ構造となるので、嵩上げフロアパネル４ｂの全体の強度が向上されると共に、特にフロア面に対し平行な方向に働くせん断力に対する強度が強化される。
【符号の説明】
【００７８】
１・・・・・フリーアクセスフロアシステム１
２・・・・・建屋、建物
２０・・・・コンクリート基礎
２１・・・・防湿層
２２・・・・建物壁
２３・・・・大引き
２４・・・・床板
２５・・・・根太
２６・・・・貫通孔
３・・・・・土基礎
４，４ａ，４ｂ・・・嵩上げフロアパネル
４０ａ，４０ｂ・・・脚部
４１ａ，４１ｂ・・・天板
４２ａ・・・Ｌ字型のフック（連結手段）
４２ｂ・・・凹部（連結手段）
４３ａ・・・ロの字型のフック掛け（連結手段）
４３ｂ・・・コの字型の連結ピン（連結手段）
４４ｂ・・・パネル基板
５・・・・・ポータブルトイレ
６・・・・・給排水管
６０・・・・既設の給排水管
Ｏａ，Ｏｂ・・・・・中心
【図１】
2015232220.tif 000003
【図２】
2015232220.tif 000004
【図３】
2015232220.tif 000005